(57)【要約】【課題】  電源ケーブルに繋がる種々の差込プラグに容易に装着可能で、安価で、抜け検出の検出精度の高い差込プラグ抜け検出装置を提供することを目的とするものである。【解決手段】  本発明は、電源の受給または供給を行うプラグ受けと、該プラグ受けに接続され電源ケーブルに繋がる差込プラグとの接続状態を検出する装置において、前記装置は、前記プラグ受け側に対して光を照射する発光部と、前記プラグ受け側からの反射光の少なくとも一部を受光する受光部と、前記受光部からの出力に基づき、前記プラグ受けと前記差込プラグとの接続状態を検出する検出部と、前記検出部によって検出された検出結果を表示する表示部とを少なくとも備え、前記発光部と前記受光部と前記検出部と前記表示部とを一体として前記差込プラグに設けることを特徴とする差込プラグ抜け検出装置により上記の課題を解決した。【選択図】  図３
2014207075.tif 000002
【特許請求の範囲】
【請求項１】
電源の受給または供給を行うプラグ受けと、該プラグ受けに接続され電源ケーブルに繋がる差込プラグとの接続状態を検出する装置において、前記装置は、前記プラグ受け側に対して光を照射する発光部と、前記プラグ受け側からの反射光の少なくとも一部を受光する受光部と、前記受光部からの出力に基づき、前記プラグ受けと前記差込プラグとの接続状態を検出する検出部と、前記検出部によって検出された検出結果を表示する表示部とを少なくとも備え、前記発光部と前記受光部と前記検出部と前記表示部とを一体として前記差込プラグに設けることを特徴とする差込プラグ抜け検出装置。
【請求項２】
前記表示部は、音または光、もしくは音と光の両方を表示することを特徴とする請求項１に記載の差込プラグ抜け検出装置。
【請求項３】
前記プラグ受け側に発光部からの光を反射する反射部を設けたことを特徴とする請求項１または２に記載の差込プラグ抜け検出装置。
【請求項４】
前記発光部と前記受光部と前記検出部と前記表示部とが前記差込プラグに対して取り外し可能な取付型の構造を有していることを特徴とする請求項１乃至３のいずれか１項に記載の差込プラグ抜け検出装置。
【請求項５】
前記発光部と前記受光部と前記検出部と前記表示部とが前記差込プラグに対して取り外し不可能な一体型の構造を有していることを特徴とする請求項１乃至３のいずれか１項に記載の差込プラグ抜け検出装置。
【発明の詳細な説明】
【技術分野】
【０００１】
本発明は、差込プラグの抜け検出装置に関するもので、さらに詳しくは、プラグ受けに繋がる差込プラグの脱落防止のための抜けを検出する装置に関するものである。
なお、本発明の差込プラグとは、電子機器に対して接続し、電源を供給するための差込器具、あるいは商用電源の差込口に対して接続し、電源を受給するための差込器具の総称である。
また、本発明のプラグ受けとは、前記差込プラグと接続される器具であって、電子機器側に設けられる接続器具、あるいは商用電源側に設けられる接続器具の総称である。
【背景技術】
【０００２】
近来、コンピュータ機器等の様々な電子機器が工場などの事業所を始め家庭内でも多く使用されてきている。パソコンやサーバー、通信機器などの機器は、当該機器と電源ケーブルとを差込プラグを介して接続し、該電源ケーブルの他方に繋がる差込プラグをプラグ受けに接続して利用している。
【０００３】
しかしながら、様々な要因、例えば振動とか作業時の接触とか電源ケーブルの自重により差込プラグがプラグ受けから緩くなって移動し、最終的には差込プラグがプラグ受けから抜けてしまうということが生じていた。
【０００４】
差込プラグの抜けが原因で電子機器が停止した際の影響を小さくするためにも、作業時に偶発的あるいは必然的に抜けてしまった場合には、即座に気づく必要がある。
【０００５】
特許文献１には、プラグ抜け防止装置に関する特許が開示されている。すなわち、電源ケーブルと電子機器本体との間に移動量を検知するセンサーを内蔵した装置を配して、本体側のケーブルに引っ張られることによる移動を検知することにより警告音を発するような装置である。
【０００６】
特許文献２には、差込プラグをケースに内蔵し、状態検知スイッチにより差込状態を検知して発光素子が点灯するような検知装置である。
【０００７】
特許文献３には、プラグ受け側の３箇所に不完全な接続をより確実に検出することができる差込検出ボタンが設置されており、差込プラグがプラグ受けに対して不完全な接続状態の時にＬＥＤの点灯及びブザーの鳴動により異常を検知するシステムになっている。
【先行技術文献】
【特許文献】
【０００８】
【特許文献１】特開２００６−１２１８７１号公報
【特許文献２】特開平３−２４２７９５号公報
【特許文献３】特開２００８−３０５６８４号公報
【発明の概要】
【発明が解決しようとする課題】
【０００９】
しかしながら、特許文献１〜３のように従来のものは、差込プラグ自体をプラグ受けに対して自由に抜き差しすることが困難であったり、あるいは、電子機器本体側の改良が必要であったりするという課題がある。
そこで本発明は、電源ケーブルに繋がる種々の差込プラグに容易に装着可能で、安価で、抜け検出の検出精度の高い差込プラグ抜け検出装置を提供することを目的とするものである。  
【課題を解決するための手段】
【００１０】
本発明に係わる差込プラグ抜け検出装置は、以下の各発明により上記課題を解決した。
なお、以下の各発明に付した括弧内の符号は、図面に付した符号と対応している。
【００１１】
本発明に係わる第１の発明は、電源の受給または供給を行うプラグ受け（８）と、該プラグ受け（８）に接続され電源ケーブル（５）に繋がる差込プラグ（６）との接続状態を検出する装置（１）において、前記装置（１）は、前記プラグ受け（８）側に対して光を照射する発光部（２ａ）と、前記プラグ受け（８）側からの反射光の少なくとも一部を受光する受光部（２ｂ）と、前記受光部（２ｂ）からの出力に基づき、前記プラグ受け（８ａ）と前記差込プラグ（６）との接続状態を検出する検出部（３）と、前記検出部（３）によって検出された検出結果を表示する表示部（４）とを少なくとも備え、前記発光部（２ａ）と前記受光部（２ｂ）と前記検出部（３）と前記表示部（４）とを一体として前記差込プラグ（６）に設けることを特徴とする差込プラグ抜け検出装置（１）である。  
【００１２】
本発明に係わる第２の発明は、第１の発明において、前記表示部は、音または光、もしくは音と光の両方を表示することを特徴とする差込プラグ抜け検出装置（１）である。  
【００１３】
本発明に係わる第３の発明は、第１または第２の発明において、前記プラグ受け（８）側に発光部（２ａ）からの光を反射する反射部を設けたことを特徴とする差込プラグ抜け検出装置（１）である。  
【００１４】
本発明に係わる第４の発明は、第１の発明から第３の発明のいずれか１つの発明において、前記発光部（２ａ）と前記受光部（２ｂ）と前記検出部（３）と前記表示部（４）とが前記差込プラグ（６）に対して取り外し可能な取付型の構造を有していることを特徴とする差込プラグ抜け検出装置（１）である。
【００１５】
本発明に係わる第５の発明は、第１の発明から第３の発明のいずれか１つの発明において、前記発光部（２ａ）と前記受光部（２ｂ）と前記検出部（３）と前記表示部（４）とが前記差込プラグ（６）に対して取り外し不可能な一体型の構造を有していることを特徴とする差込プラグ抜け検出装置（１）である。
【発明の効果】
【００１６】
本発明によれば、機器設置場所において、差込プラグが抜けた時に早急に差込プラグの抜けを確認することが可能である。さらに多数の差込プラグの中から差込プラグの抜けを簡単に発見することができるという効果もある。また、安価で取り外しが容易で、かつ検出精度の高い差込プラグ抜け検出装置を提供することができる。
【図面の簡単な説明】
【００１７】
【図１】本発明に係わる配線用差込接続器具の例である。
【図２】本発明に係わる配線用差込接続器具の例である。
【図３】本発明に係わる差込プラグ抜け検出装置における模式図である。
【図４】本発明に係わる差込プラグ抜け検出装置における模式図である。
【図５】本発明に係わる差込プラグ抜け検出装置における回路図である。
【図６】本発明に係わる差込プラグ抜け検出装置における原理図である。
【発明を実施するための形態】
【００１８】
次に、本発明の実施形態について、図面を参照して詳述する。
【００１９】
図１、図２は、本発明の配線用差込接続器具の例である。本発明に係わる差込プラグ抜け検出装置１は、前記従来の配線用差込接続器具に付加して使用する装置である。まず、本発明の装置を付加する対象となる配線用差込接続器具について図１、図２を参照して説明する。
【００２０】
図１のものは、商用電源を供給するためのプラグ受け８ａと、プラグ受け８ａに接続して電源を供給する差込プラグ６ａと、差込プラグ６ａに繋がる電源ケーブル５と、電源ケーブル５の他端に設けられ、電源ケーブル５を電子機器に接続する差込プラグ６ｂとの関係を示している。
【００２１】
図２のものは、電子機器側に設けられ、前記差込プラグ６ｂと接続することで商用電源を受給するためのプラグ受け８ｂとの関係を示している。以下、差込プラグ６ａ、差込プラグ６ｂを総称して差込プラグ６とする。また、プラグ受け８ａとプラグ受け８ｂを総称してプラグ受け８とする。
【００２２】
一般に配線用差込接続器具は、差込プラグ６とプラグ受け８とで構成されており、差込プラグ６をプラグ受け８に対して抜き差しできるようにした接続器具である。
【００２３】
プラグ受け８としては、上記のような配線用差込接続器具に用いられるものの他にコンピュータなどの電子機器や大容量電化製品、例えば、電気洗濯機、衣類乾燥機、レンジ、電気冷蔵庫、食器洗い機、冷暖房機、温水洗浄式便座、電気温水器、自動販売機等に使われるプラグ受けがあり、接地極付プラグ受けもある。このようなプラグ受けとしては、家庭用平行型２極プラグ受け、ＯＡ機器あるいは白物家電等の設置個所に使われるアース端子付プラグ受け、エアコン設置個所等に用いられる大容量プラグ受け等様々なものがある。  
【００２４】
図３は、本発明に係わる差込プラグ抜け検出装置１における模式図である。差込プラグ６に近い電源ケーブルに差込プラグ抜け検出装置１を搭載した様子を示した図である。１は差込プラグ抜け検出装置、２ａは発光部、２ｂは受光部、３は検出部、４は表示部、５は電源ケーブル、６は差込プラグ、７は導体刃を表しており、差込プラグ抜け検出装置１は、発光部２ａ、受光部２ｂ、検出部３、表示部４から構成されている。
【００２５】
図３においては、差込プラグ６がプラグ受け８に完全に接続した状態を表しており、発光部２ａから照射された光がプラグ受け８で反射され、反射光を受光部２ｂで受光するようなシステムを構成している。このような状態の時に差込プラグ６がプラグ受け８に正常に接続されている状態と判定される。この場合、プラグ受け８側に発光部２ａからの光を反射しやすいように反射部（図示せず）を設けてもよい。反射部の材料は、発光部２ａからの光を反射しやすいようなものであれば特に限定はされず、レンズ、鏡、金属等を用いることができる。
【００２６】
図４は、本発明に係わる差込プラグ抜け検出装置１をプラグ受けに接続した状態を示す模式図である。差込プラグ６がプラグ受け８から緩んで抜けかかっている状態を表した模式図である。図４では差込プラグ６がプラグ受け８よりプラグ受け８に対してほぼ平行に抜けかかっている様子を表しているが、差込プラグ６がプラグ受け８に対して一定の角度を有して抜けかかっていても検出可能である。図４では、差込プラグ抜け検出装置１がプラグ受け８から一定距離だけ離れているため、発光部２ａから照射された照射光がプラグ受け８で反射され、反射された反射光が受光部２ｂで受光できず差込プラグ６がプラグ受け８から抜けかかっている状態と判定される。その場合、検出部３で異常と判定され表示部４で音または光、もしくは音と光の両方で警告することが可能となる。
【００２７】
図５は、本発明に係わる差込プラグ抜け検出装置１における回路図である。１０は制御部、１２は電源を示しており、本発明の検出部３の主要な構成である。表示部４は制御部１０からの信号を受けて動作するものであり、例えばブザーやＬＥＤで構成される。電源１２は、内部電源として電池等を使用することができるが、差込プラグ６からの電気を使用することもできる。    
【００２８】
図６は、本発明に係わる差込プラグ抜け検出装置１における原理図である。差込プラグ６とプラグ受け８とが完全に接続された状態、すなわち正常に接続されている場合には、発光部２ａで照射された照射光（赤色光または赤外光）がプラグ受け８側で反射され，反射光が受光部２ｂ、例えばセンサー等で受光され、制御部へ送信される。差込プラグ６がプラグ受け８から抜けかかっている状態のときには、発光部２ａで照射された光が、受光部２ｂに届かず（点線の矢印で示された状態）検出されないと判定され音または光、もしくは音と光の両方で警告表示される仕組みになっている。
【００２９】
差込プラグ抜け検出装置１は発光部２ａ、受光部２ｂ、検出部３、表示部４が一体となった構造を呈しており、差込プラグ６に対して脱着可能な構造とすることで、種々の複数の差込プラグ６に取り付けることも可能である。なお、前述のように脱着可能な構造とせず、差込プラグ抜け検出装置１が差込プラグ６に組み込まれている構造としてもよい。
【符号の説明】
【００３０】
１    差込プラグ抜け検出装置
２ａ  発光部
２ｂ  受光部        
３    検出部
４    表示部
５    電源ケーブル
６    差込プラグ
６ａ  差込プラグ
６ｂ  差込プラグ
７    導体刃
８    プラグ受け
８ａ  プラグ受け
８ｂ  プラグ受け
１０    制御部
１２    電源
【図１】
2014207075.tif 000003
【図２】
2014207075.tif 000004
【図３】
2014207075.tif 000005
【図４】
2014207075.tif 000006
【図５】
2014207075.tif 000007
【図６】
2014207075.tif 000008